(57)【特許請求の範囲】
【請求項１】
ユニット本体（２０）から伝動部材（２１）が進退可能に設けられて成る進退駆動ユニット（１５）と、該進退駆動ユニット（１５）における伝動部材（２１）の先端部に設けられた背もたれ連結部（１６）とを有し、
上記進退駆動ユニット（１５）は、椅子の座部（２）に対して伝動部材（２１）を後向きにして固定可能な取付部（２４）を有しており、
上記背もたれ連結部（１６）は、椅子の背もたれ部（３）下端に設けられる被係合部（１１）を上下方向のガタツキを許容しつつ嵌合する上方開放凹部形に形成されたフック片（３０）と、
該フック片（３０）をその先方が上下揺動揺動自在となる状態に枢軸（２９）を介して保持するブラケット部材（２８）と、
上記フック片（３０）をその揺動範囲の上限で係止保持するストッパ片（３４）と、
これらフック片（３０）とストッパ片（３４）との係合状態を解除させて下向きに揺動したフック片（３０）からその上方開放部分（３７ａ）を介して被係合部（１１）の嵌合脱出を可能にさせる係合解除レバー（３１）とを有していることを特徴とするリクライニング装置。
【請求項２】
前記背もたれ連結部（１６）において、前記係合解除レバー（３１）が、前記ブラケット部材（２８）に対して前記フック片（３０）を揺動自在に保持する枢軸（２９）と同軸で揺動自在に設けられていることを特徴とする請求項１記載のリクライニング装置。
【請求項３】
座部（２）と、該座部（２）の後部上方で前方への二つ折り状態から後方で設定されるリクライニング範囲にわたって前後揺動自在に保持された背もたれ部（３）と、請求項１又は請求項２に記載されたリクライニング装置（４）とを有しており、
上記リクライニング装置（４）は、進退駆動ユニット（１５）が伝動部材（２１）を後向きにした状態でユニット本体（２０）の取付部（２４）を介して座部（２）に固定されており、
上記背もたれ部（３）の下端部には、上記リクライニング装置（４）のフック片（３０）に嵌合可能となる被係合部（１１）が設けられることを特徴とするリクライニング椅子。
【発明の詳細な説明】
【０００１】
【発明の属する技術分野】
本発明は、リクライニング装置及びリクライニング椅子に関するものである。
【０００２】
【従来の技術】
図９及び図１０は、椅子型マッサージ機等として実施された従来のリクライニング椅子１００の一例を示している。
このリクライニング椅子１００は、座部１０１と、この座部１０１の後部上方に設けられた背もたれ部１０２とを有している。座部１０１の左右両側にアームレスト１０３が設けられたものもある。
背もたれ部１０２は、直立状態をおおよその境界として、それよりも後方側の所定範囲でリクライニングのための角度変更が可能になっていると共に、直立状態よりも前方側では、座部１０１に対して二つ折り状態に折り畳むことができるようになっている。
【０００３】
このように、背もたれ部１０２が前方側での二つ折りを可能とされている理由は、リクライニング椅子１００としての製品梱包時や使用下でのコンパクト収納を可能とするためである。
この従来のリクライニング椅子１００において背もたれ部１０２を前後揺動可能にするための構造は次のようになっている。
すなわち、背もたれ部１０２の下部側には、幅方向両側で一軸配置された第１揺動支軸１０５を介してコ字状をしたフレーム１０６が前後揺動自在に介設されており、このフレーム１０６は、例えば座部１０１の両脇部に設けられるアームレスト１０３の支持枠１０３ａ等（要はリクライニング動作をしない部分）に対し、幅方向両側で一軸配置された第２揺動支軸１０８を支点として前後揺動自在に連結されている。
【０００４】
背もたれ部１０２の下端には、棒素材をコ字状に折曲した被係合部１１０が設けられており、これに対してフレーム１０６には、この被係合部１１０に係合して必要時には下向き揺動操作によってその係合を解除でき、それ以外のときは被係合部１１０との係合を保持して背もたれ部１０２とフレーム１０６とを一体化させる係合解除レバー１１１が設けられている。
そして、フレーム１０６の下端と座部１０１の下面との間が、ダンパー１１２によって連結されている。
【０００５】
このダンパー１１２は、バネ式、エア又は油圧式、或いはこれらの混用式の構造を有したものであって、フレーム１６に対し、その下端を常に後向きに押圧付勢するようになっている。従って、このフレーム１０６と一緒に、背もたれ部１０２が第２揺動支軸１０８を支点として後傾状態から前方へ向けて揺動付勢されるものとなっている。
なお、図示は省略するが、フレーム１０６と座部１０１との間には、ダンパー１１２の付勢力に抗してフレーム１０６の傾き角度を複数段階に係止保持して、背もたれ部１０２を所望のリクライニング角度に設定可能にするための角度調節機構が設けられている。
【０００６】
従って、このリクライニング椅子１００では、上記角度調節機構（図示略）の操作で、第２揺動支軸１０８を支点として座部１０１に対するフレーム１０６の揺動角度を変化させ、このフレーム１０６の傾きとして（一緒に傾けて）背もたれ部１０２のリクライニング角度の調節を可能とし（図９中のＸ参照）、また上記係合解除レバー１１１の操作で、第１揺動支軸１０５を支点としてフレーム１０６に対する背もたれ部１０２の揺動角度を変化させ、背もたれ部１０２の二つ折りを可能にしている（図９中のＹ参照）ものである。
【０００７】
【発明が解決しようとする課題】
上記のように、従来のリクライニング椅子１００では、背もたれ部１０２とフレーム１０６との第１揺動支軸１０５を介した連結、フレーム１０６とアームレスト１０３の支持枠１０３ａ等（要はリクライニング動作をしない部分）との第２揺動支軸１０８を介した連結、背もたれ部１０２とフレーム１０６との間での係合解除レバー１１１の組み付け、フレーム１０６と座部１０１との間でのダンパー１１２による連結を、それぞれ全てが独立した部品の寄せ集めとして、且つ各単独の作業として組み立ててゆく必要があった。
【０００８】
そのため、部品点数が多く、組み立てが面倒で、且つ高コストになるということがあった。
本発明は、上記事情に鑑みてなされたものであって、リクライニング椅子を組み立てるうえで、部品点数が少なくて済み、組み立てが容易で且つ低コスト化を図れるようにしたリクライニング装置及びリクライニング椅子を提供することを目的とする。
【０００９】
【課題を解決するための手段】
前記目的を達成するために、本発明は次の手段を講じた。
即ち、本発明に係るリクライニング装置は、ユニット本体から伝動部材が進退可能に設けられて成る進退駆動ユニットと、この進退駆動ユニットにおける伝動部材の先端部に設けられた背もたれ連結部とを有している。
そして、上記進退駆動ユニットは、椅子の座部に対して伝動部材を後向きにして固定可能な取付部を有したものとなっている。
【００１０】
また、上記背もたれ連結部は、フック片と、ブラケット部材と、ストッパ片と、係合解除レバーとを有したものとなっている。
フック片は、椅子の背もたれ部下端に設けられる被係合部を、上下方向のガタツキを許容しつつ嵌合する上方開放凹部形に形成されたものである。
ブラケット部材は、上記のフック片を、その先方が上下揺動揺動自在となる状態になるように枢軸を介して保持するものである。
ストッパ片は、上記のフック片を、その揺動範囲の上限で係止保持するものである。
【００１１】
係合解除レバーは、これらフック片とストッパ片との係合状態を解除させて、その結果、下向きに揺動したフック片からその上方開放部分を介して被係合部の嵌合脱出を可能にさせるものである。
このような構成であると、座部と背もたれ部とが揺動自在に連結され、背もたれ部に被係合部が設けられた構造が、前提として備わっている椅子に対して、座部にリクライニング装置を取り付けるだけで、リクライニング椅子を組み立てることができる。
【００１２】
従って、リクライニング椅子を組み立てるうえで、部品点数が少なくて済み、組み立てが容易で且つ低コスト化を図れる。また、汎用性が高い。
背もたれ連結部において、係合解除レバーは、前記ブラケット部材に対して前記フック片を揺動自在に保持する枢軸と同軸で揺動自在に設けることが好ましい。
このようにすると、進退駆動ユニットとしても、またこれを組み付けて成るリクライニング椅子としても、構造のシンプル化が図れ、また操作性が良好となるという利点がある。
【００１３】
一方、本発明に係るリクライニング椅子は、座部と、この座部の後部上方で前方への二つ折り状態から後方で設定されるリクライニング範囲にわたって前後揺動自在に保持された背もたれ部とを有し、且つこれらに本発明に係るリクライニング装置を加えたものである。
上記リクライニング装置は、進退駆動ユニットが伝動部材を後向きにした状態でユニット本体の取付部を介して座部に固定される。
また、上記背もたれ部の下端部には、上記リクライニング装置のフック片に嵌合可能となる被係合部が設けられるものとする。
【００１４】
【発明の実施の形態】
以下、本発明の実施の形態を、図面に基づき説明する。
図１乃至図４は、本発明に係るリクライニング椅子１の一実施形態を示しており、図５乃至図８は、このリクライニング椅子１において採用された本発明に係るリクライニング装置の一実施形態を示している。
図１及び図２に示すように、本発明に係るリクライニング椅子１は、座部２と、この座部２の後部上方に設けられた背もたれ部３と、これら座部２と背もたれ部３との下部間を相互連結するかたちで設けられたリクライニング装置４とを有している。
【００１５】
座部２の左右両側にはアームレスト５が設けられており、これらアームレスト５は、支持枠５ａを介して座部２と一体的な固定関係に保持されている。
背もたれ部３は、アームレスト５の支持枠５ａ等に対し、その幅方向両側で一軸配置された唯一の揺動支軸１０を支点として、前後揺動自在に連結されている。
従って、この揺動支軸１０を支点として前後揺動自在であって、図３に示すような前方への二つ折り状態にすることもできるし、また図４に示すように、直立状態からその後方側で設定されるリクライニング範囲の中で前後揺動させることもできる。
【００１６】
この背もたれ部３の下端部には被係合部１１が設けられている。
この被係合部１１は、リクライニング装置４との連結に用いられるもので、図例のものは棒素材をコ字状に折曲することによって形成したものである。
図５に示すように、リクライニング装置４は、進退駆動ユニット１５と背もたれ連結部１６とを有している。
進退駆動ユニット１５は、駆動メカ部１８と進退メカ部１９とを有したユニット本体２０から、進退メカ部１９を通じて角棒状の伝動部材２１が進退可能に設けられて成るものである。
【００１７】
すなわち、図示は省略するが、駆動メカ部１８ではモータや減速ギヤ等を格納するところとなっており、進退メカ部１９では伝動部材２１の縮退状態を格納し、また必要に応じてこの伝動部材２１を駆動させるための機構（例えばラックとピニオンギヤとの噛合構造）等も格納するところとなっている。図例のユニット本体２０では、駆動メカ部１８と進退メカ部１９とがＬ型に曲がった形体を呈したものとしている。
この進退駆動ユニット１５において、ユニット本体２０の上面には一回り大きな板材によって形成された取付部２４が設けられており、この取付部２４の外周寄りに複数の取付孔２５が上下貫通して設けられている。
【００１８】
従って、この進退駆動ユニット１５は、伝動部材２１を後向きにした状態で取付部２４を上記したリクライニング椅子１としての座部２裏面に当接させ、取付孔２５を介したねじ止めをすることで、その全体として、座部２に固定される。背もたれ連結部１６は、進退駆動ユニット１５における伝動部材２１の先端部に設けられている。
図６に示すように、この背もたれ連結部１６は、進退駆動ユニット１５の伝動部材２１に固定されたブラケット部材２８と、このブラケット部材２８に枢軸２９を介して揺動自在に保持されたフック片３０と、上記枢軸２９を介してフック片３０と同軸で揺動自在に保持された係合解除レバー３１とを有している。
【００１９】
ブラケット部材２８は、フック片３０や係合解除レバー３１を保持する枢軸２９を下部側に配し、その上側にフック片３０や係合解除レバー３１に対して覆い被さるように突出するオーバーハング部３３が設けられたものとなっている。
そして、このオーバーハング部３３に対して、図７及び図８に示すように、下向きに突出するかたちでストッパ片３４が設けられている。
図例のストッパ片３４は、板バネの一部を三角形状に折曲させることで係止部分３４ａを形成させてあるが、別部材として形成した係止部分３４ａをコイルバネ等を含めた各種弾性材（図示略）によって付勢する構造や、係止部分３４ａを樹脂やゴム等の弾性材で形成させたうえでこれをオーバーハング部３３へ固定する構造を採用してもよい。
【００２０】
また、このオーバーハング部３３は、ブラケット部材２８ではなくて進退駆動ユニット１５の伝動部材２１に対して一体的に形成したり、別部材として取り付けたりすることもできる。
フック片３０は、上方開放凹部形に形成されたもので、その先端側の形状が枢軸２９を支点とする揺動軌跡に近いかたちの円弧カーブを有したものとなっている。すなわち、このフック片３０には、上方開放部分３７ａを有する縦溝３７が形成されており、また円弧カーブの設けられた部分で係合誘導カム３８が形成されたものである。
【００２１】
この縦溝３７には、背もたれ部３の被係合部１１が嵌合可能となっている。従って、この被係合部１１は、縦溝３７内で上下方向のガタツキを許容されることになり、また上方開放部分３７ａを介しての出入り（嵌合離脱）が可能になっている。
そして、このフック片３０には、枢軸２９の上部側（上方開放部分３７ａよりも背面側の上端）となる位置付けで、上記したストッパ片３４と係合可能な係止凹部３９が設けられている。
【００２２】
更に、このフック片３０には、縦溝３７よりも先方側に、枢軸２９を支点とする揺動軌跡に沿った円弧形を呈して連動用カム溝４０が設けられていると共に、背面側には、背圧付加レバー４１との係合を可能にした背部凹部４２が設けられている。
係合解除レバー３１は、側面形状がＬ字状を呈しており、その隅角部分に相当して枢軸２９が挿通されるようになっている。そして、枢軸２９から先方（図７及び図８の各左方）へ延びる側はフック片３０より突き出す長さとされており、ここで操作端部３１ａが形成されるものとなっており、他方（図７及び図８の上方）へ延びる側がストッパ片３４を蹴り上げ可能な長さとなっており、ここで作用端部３１ｂが形成されるものとなっている。
【００２３】
この係合解除レバー３１には、フック片３０の連動用カム溝４０へ向けて突出する連動軸４５が横突設されている。
なお、図６に示したように、係合解除レバー３１には、枢軸２９に挿通されたバネ４６によって作用端部３１ｂをストッパ片３４へ係合させる向き（図７及び図８の時計回り方向）への付勢力が付加されるようになっている。
一方、フック片３０に対しても、図示は省略するが、係合解除レバー３１の場合と略同じ構造で同方向（図７及び図８の時計回り方向）への付勢力が付加されるようになっている。
【００２４】
但し、このフック片３０は、図７及び図８に示すように、進退駆動ユニット１５の伝動部材２１に設けられた背圧付加レバー４１により、背部凹部４２を押圧付勢されるようになっている。そのため、係止凹部３９がストッパ片３４に係合した位置から少なくともこの係合を外されるまでの揺動領域では、上記付勢力（図７及び図８の時計回り方向への付勢力）よりも、この背圧付加レバー４１による付勢力が優先して作用し、フック片３０を先方側（図７及び図８の左方）へ揺動させるものとなっている。
【００２５】
このような構成とされた背もたれ連結部１６では、図７に示すように、フック片３０の係止凹部３９がストッパ片３４に係止し、また係合解除レバー３１の作用端部３１ｂがストッパ片３４と噛み合っている状態を常態とされる。
ここで図８に示すように、係合解除レバー３１を、その操作端部３１ａを押し下げるように操作すると、作用端部３１ｂがストッパ片３４を蹴り上げることに伴ってこのストッパ片３４がフック片３０の係止凹部３９から外れることになる。
【００２６】
そのため、フック片３０は、背圧付加レバー４１による付勢力により、上方開放部分３７ａを先方（図８の左方）へ傾けるように揺動することになる。
従って、この揺動時点で予めフック片３０の縦溝３７内に背もたれ部３の被係合部１１が嵌合されている場合であれば、この被係合部１１を縦溝３７の上方開放部分３７ａから脱出させることができるし、反対に、この揺動時点で未だ縦溝３７内に被係合部１１が嵌合されていない場合であれば、上方開放部分３７ａから縦溝３７に被係合部１１を嵌合させることができるものである。
【００２７】
また、図８の状態から、例えばフック片３０の下端部を上方へ押し上げるようにすれば（リクライニング椅子１の実際の使用下ではフック片３０の下端部を押し上げることはせず、後述するように背もたれ部３の被係合部１１による縦溝３７の内部側面押圧力を利用する）、フック片３０の係止凹部３９をストッパ片３４に係止させることができる。
このとき、フック片３０の揺動に伴って、連動用カム溝４０内で係合解除レバー３１の連動軸４５も押し上げられることになるため、この係合解除レバー３１の作用端部３１ｂもストッパ片３４と噛み合う状態（図７に示した常態）へと戻される。
【００２８】
すなわち、本発明に係るリクライニング椅子１において、その使用状況を説明すると次のようになる。
図１に示すように、背もたれ部３を起立させた使用状態では、リクライニング装置４の背もたれ連結部１６（フック片３０）に背もたれ部３の被係合部１１が嵌合しており、しかもこのとき被係合部１１は上下方向のガタツキが許容されているので、進退駆動ユニット１５の作動で伝動部材２１を進退させることで、背もたれ部３のリクライニング角度を所望角度に調節することができる。
【００２９】
リクライニング椅子１の収納時等には、リクライニング装置４の背もたれ連結部１６において係合解除レバー３１を押し下げ、背もたれ部３を手で前倒し状にすることで、上記したように被係合部１１を背もたれ連結部１６（フック片３０）から脱出させ、図３に示すような座部２に対する二つ折り状態にすることができる。
リクライニング椅子１を使用状態に戻すには、背もたれ部３を手で直立状態等に保持したまま、進退駆動ユニット１５の伝動部材２１を座部２の後方へ進出させるか、又はこれの逆の手順を行う（進退駆動ユニット１５の伝動部材２１を予め後方進出させておいてから背もたれ部３を手で後ろ向きに起立させてゆく）ようにする。
【００３０】
このとき、リクライニング装置４の背もたれ連結部１６は、フック片３０も係合解除レバー３１も、共にそれらの先方を下向きに傾動させた状態（図８の状態）のままにしておく。
このようにすることにより、背もたれ部３の被係合部１１がフック片３０の係合誘導カム３８を滑りながら上方開放部分３７ａへと誘導され、縦溝３７内へと嵌合され、やがてこの被係合部１１が縦溝３７の内部側面を押圧する作用として、フック片３０が元の常態（フック片３０の係止凹部３９をストッパ片３４に係止させ、且つ係合解除レバー３１の作用端部３１ｂをストッパ片３４に噛み合わせた状態）に戻されるものである。
【００３１】
ところで、本発明は、上記した実施形態に限定されるものではなく、各部材の形状や材質等、実施の形態に応じて適宜変更可能である。
【００３２】
【発明の効果】
以上の説明から明らかなように、本発明に係るリクライニング装置及びリクライニング椅子では、座部と背もたれ部とが揺動自在に連結され、背もたれ部に被係合部が設けられた構造が、前提として備わっている椅子に対して、座部にリクライニング装置を取り付けるだけで、リクライニング椅子を組み立てることができるので、リクライニング椅子を組み立てるうえで、部品点数が少なくて済み、また組み立てが容易で且つ低コスト化を図れる。
【図面の簡単な説明】
【図１】本発明に係るリクライニング椅子の一実施形態を示す側面図である。
【図２】図１のＡ−Ａ線矢視図である。
【図３】図１のリクライニング椅子について背もたれ部を前方へ二つ折りさせた状態にして示した側面図である。
【図４】図１のリクライニング椅子について背もたれ部を後方でリクライニング揺動させる様子を示した側面図である。
【図５】本発明に係るリクライニング装置の一実施形態を示す斜視図である。
【図６】図５中の一部（背もたれ連結部）を拡大して示した斜視図である。
【図７】図６に対応する拡大側面図である。
【図８】図７からの動作状況（係合解除動作）を示した図である。
【図９】従来のリクライニング椅子の一例を示す側面図である。
【図１０】図９のＢ−Ｂ線矢視図である。
【符号の説明】
１    リクライニング椅子
２    座部
３    背もたれ部
４    リクライニング装置
１１    被係合部
１５    進退駆動ユニット
１６    背もたれ連結部
２０    ユニット本体
２１    伝動部材
２４    取付部
２８    ブラケット部材
２９    枢軸
３０    フック片
３１    係合解除レバー
３４    ストッパ片
３７ａ  上方開放部分
【図１】
0003634725.tif 000002
【図２】
0003634725.tif 000003
【図３】
0003634725.tif 000004
【図４】
0003634725.tif 000005
【図５】
0003634725.tif 000006
【図６】
0003634725.tif 000007
【図７】
0003634725.tif 000008
【図８】
0003634725.tif 000009
【図９】
0003634725.tif 000010
【図１０】
0003634725.tif 000011